(57)【要約】【課題】窒素酸化物（ＮＯｘ）を低減するとともにベース燃料の燃焼を安定化させる。【解決手段】水噴射量割合制御部４２は、シリンダ１１内からのＮＯｘ排出量が所定量以下になるように、エンジン負荷φに基づいて水の噴射量率Ｘを決定する。過酸化水素噴射量割合制御部４３は、水の蒸発潜熱及び比熱比低下によるベース燃料の着火遅れを補償するように、水の噴射量率Ｘに応じて過酸化水素水濃度Ｙを変化させる。【選択図】図２
2012237260.tif 000002
【特許請求の範囲】
【請求項１】
ベース燃料と水と過酸化水素をディーゼルエンジンのシリンダ内に供給するディーゼルエンジンの制御装置であって、
ベース燃料及び水の全体供給量に対する水の供給量割合を制御する水供給量割合制御部と、
前記水の供給量割合に応じて、水及び過酸化水素の全体供給量に対する過酸化水素の供給量割合を変化させるように、当該過酸化水素の供給量割合を制御する過酸化水素供給量割合制御部と、
を備える、ディーゼルエンジンの制御装置。
【請求項２】
請求項１に記載のディーゼルエンジンの制御装置であって、
過酸化水素供給量割合制御部は、前記水の供給量割合とエンジン負荷とに基づいて、前記過酸化水素の供給量割合を決定する、ディーゼルエンジンの制御装置。
【請求項３】
請求項２に記載のディーゼルエンジンの制御装置であって、
過酸化水素供給量割合制御部は、前記水の供給量割合及びエンジン負荷に対する前記過酸化水素の供給量割合の関係を表す過酸化水素供給量割合特性において、前記水の供給量割合及びエンジン負荷に対応する前記過酸化水素の供給量割合を演算し、
前記過酸化水素供給量割合特性においては、エンジン負荷の減少に対して、前記水の供給量割合に対する前記過酸化水素の供給量割合の傾きが増加する、ディーゼルエンジンの制御装置。
【請求項４】
請求項１〜３のいずれか１に記載のディーゼルエンジンの制御装置であって、
ベース燃料の着火性を推定する燃料着火性推定部をさらに備え、
過酸化水素供給量割合制御部は、燃料着火性推定部で推定されたベース燃料の着火性に応じて、前記過酸化水素の供給量割合を変化させる、ディーゼルエンジンの制御装置。
【請求項５】
請求項４に記載のディーゼルエンジンの制御装置であって、
過酸化水素供給量割合制御部は、
ベース燃料の着火性が基準より高い場合は、ベース燃料の着火性が基準である場合と比較して、前記過酸化水素の供給量割合を減少させ、
ベース燃料の着火性が基準より低い場合は、ベース燃料の着火性が基準である場合と比較して、前記過酸化水素の供給量割合を増加させる、ディーゼルエンジンの制御装置。
【請求項６】
ベース燃料と水と過酸化水素がシリンダ内に供給されるディーゼルエンジンと、
請求項１〜５のいずれか１に記載のディーゼルエンジンの制御装置と、
を備える、ディーゼルエンジンシステム。
【発明の詳細な説明】
【技術分野】
【０００１】
本発明は、ベース燃料と水と過酸化水素をディーゼルエンジンのシリンダ内に供給するディーゼルエンジンの制御装置、及びディーゼルエンジンシステムに関する。
【背景技術】
【０００２】
内燃機関において、動力を発生するためのベース燃料の他に、水をシリンダ内へ噴射することで、シリンダ内温度を低下させて窒素酸化物（ＮＯｘ）を低減する技術が提案されている（例えば下記特許文献１）。特許文献１においては、内燃機関、特に直噴式内燃機関の運転に使用する燃料−水−エマルジョンを以下の方法により生成している。まず３ｍＬのオキシエチル化ノニルフェノール（１１モルのエチレンオキシドを含有する）、および１：１のエチレンオキシド：プロピレンオキシド比および３１００の分子量の７ｍＬのエチレンオキシド／プロピレンオキシド−ポリアルキレングリコールを、二度蒸留した８４ｍＬの水に４０〜４５℃で溶解する。この混合物を室温に冷却した後に、２０ｍＬのＨ2Ｏ2（３０％濃度）を添加する。そして、３００ｍＬのレギュラーガソリンをこの溶液中に攪拌混入し、その混合物を１５分間強力に剪断することで、安定な燃料−水−エマルジョンを得ている。
【先行技術文献】
【特許文献】
【０００３】
【特許文献１】特表２００１−５０８１１７号公報
【発明の概要】
【発明が解決しようとする課題】
【０００４】
ディーゼルエンジンにおいては、窒素酸化物（ＮＯｘ）の排出量がエンジン負荷（エンジントルク）等のエンジン運転状態に応じて変化するため、ベース燃料の他に水をシリンダ内へ供給することでＮＯｘを低減する場合は、シリンダ内へのベース燃料及び水の全体供給量に対する水の供給量割合をエンジン負荷等のエンジン運転状態に応じて変化させることが望ましい。ただし、シリンダ内温度を低下させてＮＯｘを低減するために、シリンダ内への水の供給量割合を増やすと、水の蒸発潜熱及び比熱比低下により、ベース燃料の噴射時期に対する着火遅れ期間が増加する。ベース燃料の着火遅れ期間が増加し過ぎると、失火の発生や、未燃炭化水素（ＨＣ）、一酸化炭素（ＣＯ）の増加を招きやすくなる。
【０００５】
本発明は、窒素酸化物（ＮＯｘ）を低減するとともにベース燃料の燃焼を安定化させることを目的とする。
【課題を解決するための手段】
【０００６】
本発明に係るディーゼルエンジンの制御装置及びディーゼルエンジンシステムは、上述した目的を達成するために以下の手段を採った。
【０００７】
本発明に係るディーゼルエンジンの制御装置は、ベース燃料と水と過酸化水素をディーゼルエンジンのシリンダ内に供給するディーゼルエンジンの制御装置であって、ベース燃料及び水の全体供給量に対する水の供給量割合を制御する水供給量割合制御部と、前記水の供給量割合に応じて、水及び過酸化水素の全体供給量に対する過酸化水素の供給量割合を変化させるように、当該過酸化水素の供給量割合を制御する過酸化水素供給量割合制御部と、を備えることを要旨とする。
【０００８】
本発明の一態様では、過酸化水素供給量割合制御部は、前記水の供給量割合とエンジン負荷とに基づいて、前記過酸化水素の供給量割合を決定することが好適である。
【０００９】
本発明の一態様では、過酸化水素供給量割合制御部は、前記水の供給量割合及びエンジン負荷に対する前記過酸化水素の供給量割合の関係を表す過酸化水素供給量割合特性において、前記水の供給量割合及びエンジン負荷に対応する前記過酸化水素の供給量割合を演算し、前記過酸化水素供給量割合特性においては、エンジン負荷の減少に対して、前記水の供給量割合に対する前記過酸化水素の供給量割合の傾きが増加することが好適である。
【００１０】
本発明の一態様では、ベース燃料の着火性を推定する燃料着火性推定部をさらに備え、過酸化水素供給量割合制御部は、燃料着火性推定部で推定されたベース燃料の着火性に応じて、前記過酸化水素の供給量割合を変化させることが好適である。
【００１１】
本発明の一態様では、過酸化水素供給量割合制御部は、ベース燃料の着火性が基準より高い場合は、ベース燃料の着火性が基準である場合と比較して、前記過酸化水素の供給量割合を減少させ、ベース燃料の着火性が基準より低い場合は、ベース燃料の着火性が基準である場合と比較して、前記過酸化水素の供給量割合を増加させることが好適である。
【００１２】
また、本発明に係るディーゼルエンジンシステムは、ベース燃料と水と過酸化水素がシリンダ内に供給されるディーゼルエンジンと、本発明に係るディーゼルエンジンの制御装置と、を備えることを要旨とする。
【発明の効果】
【００１３】
本発明によれば、シリンダ内への水の供給により窒素酸化物（ＮＯｘ）を低減することができるとともに、水の蒸発潜熱及び比熱比低下によるベース燃料の着火遅れをシリンダ内への過酸化水素の供給により補償してベース燃料の燃焼を安定化させることができる。
【図面の簡単な説明】
【００１４】
【図１】本発明の実施形態に係るディーゼルエンジンの制御装置を備えるディーゼルエンジンシステムの概略構成を示す図である。
【図２】電子制御装置の構成例を示す図である。
【図３】エンジン負荷φに対する水の噴射量率Ｘの関係を表す水噴射量率特性マップの一例を示す図である。
【図４】クランク角に対するシリンダ内圧力の変化を計算した結果を示す図である。
【図５】クランク角に対するシリンダ内温度の変化を計算した結果を示す図である。
【図６】過酸化水素水濃度Ｙを変化させた場合にベース燃料の着火時期を計算した結果を示す図である。
【図７】エンジン負荷φ及び水の噴射量率Ｘを変化させた場合にベース燃料の噴射時期に対する着火遅れ期間が一定に保たれる過酸化水素水濃度Ｙを計算した結果を示す図である。
【図８】エンジン負荷φ及び水の噴射量率Ｘを変化させた場合にクランク角に対するシリンダ１１内温度の変化を計算した結果を示す図である。
【図９】エンジン負荷φ及び水の噴射量率Ｘに対する過酸化水素水濃度Ｙの関係を表す過酸化水素水濃度特性マップの一例を示す図である。
【図１０】本発明の実施形態に係るディーゼルエンジンの制御装置を備えるディーゼルエンジンシステムの他の概略構成を示す図である。
【発明を実施するための形態】
【００１５】
以下、本発明を実施するための形態（以下実施形態という）を図面に従って説明する。
【００１６】
図１は、本発明の実施形態に係るディーゼルエンジンの制御装置を備えるディーゼルエンジンシステムの概略構成を示す図である。ベース燃料タンク２２内には、ディーゼルエンジン１０で使用されるベース燃料が貯溜されている。ここでのベース燃料としては、例えば軽油を用いることができる。ベース燃料タンク２２内に貯溜されたベース燃料は、燃料ポンプにより汲み上げられ、ベース燃料タンク２２とインジェクタ１３を接続するためのベース燃料供給通路２３内を通って、ディーゼルエンジン１０のシリンダ１１内に臨んで配置されたインジェクタ１３へ供給される。ディーゼルエンジン１０は、例えばピストン−クランク機構を用いて構成可能である。ディーゼルエンジン１０では、例えばピストン１２が圧縮上死点付近に位置するときにベース燃料をインジェクタ１３からシリンダ１１内に直接噴射することで、シリンダ１１内に供給されたベース燃料が自着火して拡散燃焼（ディーゼル燃焼）する。このベース燃料の燃焼によって、動力を発生させる。ディーゼルエンジン１０には、シリンダ１１内の圧力を検出する筒内圧力センサ２１が付設されており、筒内圧力センサ２１で検出されたシリンダ１１内の圧力を示す信号は、電子制御装置（ＥＣＵ）４０に入力される。
【００１７】
水タンク３２内には、水（Ｈ2Ｏ）が貯溜されている。水タンク３２とインジェクタ１５を接続するための水供給通路３３には、水供給制御弁３７が設けられており、水タンク３２内に貯溜された水は、水ポンプにより汲み上げられ、水供給制御弁３７が開いているときに、水供給通路３３内を通って、ディーゼルエンジン１０の吸気通路１４内に臨んで配置されたインジェクタ１５へ供給される。さらに、水ポンプにより汲み上げられた水タンク３２内の水は、反応器３４にも供給される。反応器３４は、水タンク３２内から供給された水を利用して、例えば水の電解合成法により過酸化水素（Ｈ2Ｏ2）を生成する。ただし、反応器３４では、他の方法により過酸化水素を生成してもよい。反応器３４とインジェクタ１５を接続するための過酸化水素供給通路３５には、過酸化水素供給制御弁３６が設けられている。反応器３４で生成された過酸化水素は、水に溶解して過酸化水素水（溶液）になっており、過酸化水素供給制御弁３６が開いているときに、過酸化水素供給通路３５内を通ってインジェクタ１５へ供給され、その際に、過酸化水素供給制御弁３６で濃度が調整される。インジェクタ１５から吸気通路１４内に噴射された過酸化水素水（水及び過酸化水素）は、吸気行程にてシリンダ１１内に供給される。ただし、インジェクタ１５をシリンダ１１内に臨ませて配置し、過酸化水素水をインジェクタ１５からシリンダ１１内に直接噴射することも可能である。
【００１８】
電子制御装置４０は、例えば図２に示す機能ブロックを含んで構成することができる。ベース燃料噴射制御部４１は、インジェクタ１３からのベース燃料の噴射制御を行う。インジェクタ１３からシリンダ１１内へのベース燃料噴射量を制御することで、エンジン負荷（エンジントルク）φを制御することができる。水噴射量割合制御部４２は、インジェクタ１５からの水の噴射制御を行う。インジェクタ１５からの水噴射量を制御することで、シリンダ１１内へのベース燃料及び水の全体供給量に対する水の供給量割合（水の噴射量率）Ｘを制御することができる。水の噴射量率Ｘは、(インジェクタ１５からの水噴射重量)／[(インジェクタ１５からの水噴射重量)＋(インジェクタ１３からのベース燃料噴射重量)]で表される。過酸化水素噴射量割合制御部４３は、過酸化水素供給制御弁３６及び水供給制御弁３７の開度を制御することで、反応器３４からインジェクタ１５への過酸化水素（過酸化水素水）の供給流量を制御する。これによって、シリンダ１１内への水及び過酸化水素の全体供給量に対する過酸化水素の供給量割合（過酸化水素水濃度）Ｙを制御することができる。過酸化水素水濃度Ｙは、(インジェクタ１５からの過酸化水素噴射重量)／[(インジェクタ１５からの過酸化水素噴射重量)＋(インジェクタ１５からの水噴射重量)]で表される。セタン価推定部４４は、筒内圧力センサ２１で検出されたシリンダ１１内の圧力の変化に基づいて、ベース燃料の着火時期を推定し、ベース燃料のセタン価（着火性）を推定する。
【００１９】
インジェクタ１５から吸気通路１４を介してシリンダ１１内に水を供給することで、ベース燃料の燃焼の際に、水の蒸発潜熱及び比熱比低下によりシリンダ１１内の燃焼温度を低下させることが可能となる。これによって、窒素酸化物（ＮＯｘ）を低減することが可能となる。水噴射量割合制御部４２は、シリンダ１１内からのＮＯｘ排出量が所定量以下になるように、エンジン負荷φ（インジェクタ１３からのベース燃料噴射量）に基づいて水の噴射量率Ｘを決定する。その際には、例えば図３に示すような、エンジン負荷φに対する水の噴射量率Ｘの関係を表す水噴射量率特性マップを特性記憶部４５に予め記憶しておく。水噴射量率特性マップは、ＮＯｘ排出量が所定量以下になるように、各エンジン負荷φ毎に水の噴射量率Ｘが適合され、図３に示す例では、エンジン負荷φの増加に対して水の噴射量率Ｘが増加する特性を有する（図３において、φ1＜φ2＜φ3、X1＜X2＜X3）。水噴射量割合制御部４２は、特性記憶部４５に記憶された水噴射量率特性マップにおいて、与えられたエンジン負荷φに対応する水の噴射量率Ｘを演算する。これによって、エンジン負荷φに応じて水の噴射量率Ｘを変化させ、エンジン負荷φの増加に対して水の噴射量率Ｘを増加させる。
【００２０】
ただし、水の蒸発潜熱及び比熱比低下により、ベース燃料の噴射時期に対する着火遅れ期間が増加し過ぎると、失火の発生や、未燃炭化水素（ＨＣ）、一酸化炭素（ＣＯ）の増加を招きやすくなる。そこで、インジェクタ１５から吸気通路１４を介してシリンダ１１内に水とともに過酸化水素も供給することで、ベース燃料の燃焼の際に、ＯＨによる酸化剤によってベース燃料の着火を促進させることができ、燃焼を安定化させることができる。
【００２１】
ここで、クランク角に対するシリンダ１１内圧力の変化を計算した結果を図４に示し、クランク角に対するシリンダ１１内温度の変化を計算した結果を図５に示す。図４，５において、「ベース」は、ベース燃料と水と過酸化水素のうち、ベース燃料だけをシリンダ１１内に噴射した場合を表し、「ベース＋水」は、ベース燃料と水と過酸化水素のうち、ベース燃料と水をシリンダ１１内に供給した場合を表し、「ベース＋過酸化水素水」は、ベース燃料と水と過酸化水素をシリンダ１１内に供給した場合を表す。シリンダ１１内圧力及び温度の計算の際には、エンジン負荷φ＝０．５（全負荷をφ＝１．０とし、その半分）とし、「ベース＋水」及び「ベース＋過酸化水素水」における水の噴射量率Ｘ＝２０ｗｔ％（重量％）とし、「ベース＋過酸化水素水」における過酸化水素水濃度Ｙ＝０．３４ｗｔ％としている。図４，５に示すように、「ベース＋水」では、「ベース」と比較してベース燃料の着火時期（シリンダ１１内圧力及び温度が急上昇している時期）が遅れるのに対して、「ベース＋過酸化水素水」では、「ベース＋水」と比較してベース燃料の着火時期が早まり、「ベース」と比較してベース燃料の着火時期がほぼ同等であることがわかる。さらに、「ベース＋過酸化水素水」において、過酸化水素水濃度Ｙを変化させた場合に、ベース燃料の着火時期を計算した結果を図６に示す。図６に示すように、過酸化水素水濃度Ｙの増加に対してベース燃料の着火時期が早まることがわかる。このように、シリンダ１１内に過酸化水素を酸化剤として供給することで、水の蒸発潜熱及び比熱比低下によるベース燃料の着火遅れを補償することができる。
【００２２】
さらに、「ベース＋過酸化水素水」において、エンジン負荷φ及び水の噴射量率Ｘを変化させた場合に、ベース燃料の噴射時期に対する着火遅れ期間が一定に保たれる過酸化水素水濃度Ｙを計算した結果を図７に示す。計算の際には、エンジン負荷φ＝０．３，０．５，０．７のそれぞれにおいて、水の噴射量率Ｘを変化させた場合に、ベース燃料の着火時期が一定に保たれる過酸化水素水濃度Ｙを計算している。図７に示すように、一定のエンジン負荷φにおいては、水の噴射量率Ｘの増加に対して、ベース燃料の着火時期を一定に保つために必要な過酸化水素水濃度Ｙが増加する。さらに、エンジン負荷φが減少するほど、ベース燃料の着火時期を一定に保つために必要な、水の噴射量率Ｘの増加に対する過酸化水素水濃度Ｙの増加割合が大きくなる。
【００２３】
ここで、「ベース＋水」において、エンジン負荷φ及び水の噴射量率Ｘを変化させた場合に、クランク角に対するシリンダ１１内温度の変化を計算した結果を「ベース」と比較して図８に示す。計算の際には、エンジン負荷φを０．５，０．７に変化させ、水の噴射量率Ｘを１０ｗｔ％，２０ｗｔ％，３０ｗｔ％に変化させている。図８に示すように、「ベース」では、エンジン負荷φ＝０．５とエンジン負荷φ＝０．７とを比較して、ベース燃料の着火時期（シリンダ１１内温度が急上昇している時期）はあまり変わらない。一方、「ベース＋水」では、水の噴射量率Ｘの増加に対して、φ＝０．７でのベース燃料の着火時期とφ＝０．５でのベース燃料の着火時期との差が大きくなり、水の噴射量率Ｘ＝３０ｗｔ％のときは、φ＝０．７ではベース燃料が着火するが、φ＝０．５ではベース燃料はほとんど着火しなくなる。そのため、エンジン負荷φが減少するほど、水の噴射量率Ｘの増加とともにベース燃料の着火が難しくなり、水の噴射量率Ｘの増加に対する過酸化水素水濃度Ｙの増加割合を大きくする必要がある。
【００２４】
そこで、過酸化水素噴射量割合制御部４３は、エンジン負荷φと水の噴射量率Ｘとに基づいて過酸化水素水濃度Ｙ（過酸化水素供給制御弁３６の開度）を決定する。その際には、例えば図９に示すような、エンジン負荷φ及び水の噴射量率Ｘに対する過酸化水素水濃度Ｙの関係を表す過酸化水素水濃度特性マップを特性記憶部４５に予め記憶しておく。過酸化水素水濃度特性マップは、ベース燃料の噴射時期に対する着火遅れ期間の変動が所定期間以下に抑えられる（より好ましくは着火遅れ期間が一定に保たれる）ように、一定のエンジン負荷φにおいて、水の噴射量率Ｘの増加に対して過酸化水素水濃度Ｙが増加する特性を有する。さらに、過酸化水素水濃度特性マップは、ベース燃料の噴射時期に対する着火遅れ期間の変動が所定期間以下に抑えられる（より好ましくは着火遅れ期間が一定に保たれる）ように、エンジン負荷φの減少に対して、水の噴射量率Ｘに対する過酸化水素水濃度Ｙの傾きＹ／Ｘが増加する特性を有する（図９において、φ1＜φ2＜φ3、X1＜X2＜X3、Ｙ3＜Ｙ2＜Ｙ1）。過酸化水素噴射量割合制御部４３は、特性記憶部４５に記憶された過酸化水素水濃度特性マップにおいて、与えられたエンジン負荷φ及び水の噴射量率Ｘに対応する過酸化水素水濃度Ｙを演算する。これによって、水の蒸発潜熱及び比熱比低下によるベース燃料の着火遅れを補償するように、水の噴射量率Ｘに応じて過酸化水素水濃度Ｙを変化させる。例えば図３に示すような水噴射量率特性マップを用いて、エンジン負荷φに応じて水の噴射量率Ｘを変化させる場合は、エンジン負荷φに応じて過酸化水素水濃度Ｙが変化することになる。
【００２５】
以上説明した本実施形態によれば、水噴射によりＮＯｘを低減することができるとともに、水の蒸発潜熱及び比熱比低下によるベース燃料の着火遅れを過酸化水素により補償してベース燃料の燃焼を安定化させることができる。その結果、失火の発生と、未燃ＨＣ及びＣＯの増加を防ぐことができる。さらに、ベース燃料の着火遅れ期間が一定に保たれるように、水の噴射量率Ｘに応じて過酸化水素水濃度Ｙを変化させることで、過酸化水素の消費量を低減しつつ、ベース燃料の燃焼を安定化させることができる。
【００２６】
なお、ベース燃料タンク２２に給油されるベース燃料のセタン価（着火性）が変化すると、ベース燃料の噴射時期に対する着火遅れ期間も変化する。そこで、過酸化水素噴射量割合制御部４３は、ベース燃料の噴射時期に対する着火遅れ期間の変動が所定期間以下に抑えられる（より好ましくは着火遅れ期間が一定に保たれる）ように、セタン価推定部４４で推定されたベース燃料のセタン価（着火性）に応じて過酸化水素水濃度Ｙを変化させることが好ましい。より具体的には、過酸化水素噴射量割合制御部４３は、セタン価推定部４４で推定されたベース燃料のセタン価（着火性）が基準より高い場合は、ベース燃料のセタン価（着火性）が基準である場合と比較して、過酸化水素供給制御弁３６の開度を減少させて過酸化水素水濃度Ｙを減少させる。一方、過酸化水素噴射量割合制御部４３は、セタン価推定部４４で推定されたベース燃料のセタン価が基準より低い場合は、ベース燃料のセタン価が基準である場合と比較して、過酸化水素供給制御弁３６の開度を増加させて過酸化水素水濃度Ｙを増加させる。その際には、過酸化水素水濃度特性マップをベース燃料のセタン価毎に予め作成して特性記憶部４５に記憶しておき、過酸化水素噴射量割合制御部４３は、セタン価推定部４４で推定されたベース燃料のセタン価に対応する過酸化水素水濃度特性マップを特性記憶部４５から読み出して、エンジン負荷φ及び水の噴射量率Ｘに対応する過酸化水素水濃度Ｙを演算することが可能である。また、エンジン負荷φ及び水の噴射量率Ｘに対する過酸化水素水濃度の補正値δＹの関係を表す過酸化水素水濃度補正値特性マップをベース燃料のセタン価毎に予め作成して特性記憶部４５に記憶しておき、過酸化水素噴射量割合制御部４３は、セタン価推定部４４で推定されたベース燃料のセタン価に対応する過酸化水素水濃度補正値特性マップを特性記憶部４５から読み出して、エンジン負荷φ及び水の噴射量率Ｘに対応する過酸化水素水濃度の補正値δＹを演算することも可能である。
【００２７】
以上の説明では、ベース燃料を噴射するインジェクタ１３と別に設けられたインジェクタ１５から吸気通路１４を介してシリンダ１１内に過酸化水素水（水及び過酸化水素）を供給するものとした。ただし、本実施形態では、例えば図１０に示すように、過酸化水素水（水及び過酸化水素）をベース燃料に混ぜてエマルジョンとしてシリンダ１１内に供給することも可能である。図１０に示す構成例では、ベース燃料タンク２２内に貯溜されたベース燃料は、燃料ポンプにより汲み上げられ、ベース燃料タンク２２とエマルジョン生成装置３８を接続するためのベース燃料供給通路２３内を通って、エマルジョン生成装置３８へ供給される。水タンク３２とエマルジョン生成装置３８を接続するための水供給通路３３には、水供給制御弁３７が設けられており、水タンク３２内に貯溜された乳化剤の添加された水は、水供給制御弁３７が開いているときに、水供給通路３３内を通ってエマルジョン生成装置３８へ供給される。反応器３４とエマルジョン生成装置３８を接続するための過酸化水素供給通路３５には、過酸化水素供給制御弁３６が設けられており、反応器３４で生成された過酸化水素は、過酸化水素供給制御弁３６が開いているときに、過酸化水素供給通路３５内を通ってエマルジョン生成装置３８へ供給される。エマルジョン生成装置３８は、過酸化水素水（水及び過酸化水素）をベース燃料に混ぜてエマルジョンを生成する。インジェクタ１３は、エマルジョン生成装置３８からのエマルジョン（ベース燃料と水と過酸化水素）をシリンダ１１内に直接噴射する。
【００２８】
図１０に示す構成例では、ベース燃料噴射制御部４１は、インジェクタ１３からシリンダ１１内へのベース燃料噴射量を制御することで、エンジン負荷φを制御することができる。水噴射量割合制御部４２は、水供給制御弁３７の開度を制御して水タンク３２からエマルジョン生成装置３８への水の供給流量を制御することで、水の噴射量率Ｘを制御することができる。過酸化水素噴射量割合制御部４３は、過酸化水素供給制御弁３６の開度を制御して反応器３４からエマルジョン生成装置３８への過酸化水素の供給流量を制御することで、過酸化水素水濃度Ｙを制御することができる。
【００２９】
以上、本発明を実施するための形態について説明したが、本発明はこうした実施形態に何等限定されるものではなく、本発明の要旨を逸脱しない範囲内において、種々なる形態で実施し得ることは勿論である。
【符号の説明】
【００３０】
１０  ディーゼルエンジン、１１  シリンダ、１２  ピストン、１３，１５  インジェクタ、１４  吸気通路、２１  筒内圧力センサ、２２  ベース燃料タンク、２３  ベース燃料供給通路、３２  水タンク、３３  水供給通路、３４  反応器、３５  過酸化水素供給通路、３６  過酸化水素供給制御弁、３７  水供給制御弁、３８  エマルジョン生成装置、４０  電子制御装置、４１  ベース燃料噴射制御部、４２  水噴射量割合制御部、４３  過酸化水素噴射量割合制御部、４４  セタン価推定部、４５  特性記憶部。
【図１】
2012237260.tif 000003
【図２】
2012237260.tif 000004
【図３】
2012237260.tif 000005
【図４】
2012237260.tif 000006
【図５】
2012237260.tif 000007
【図６】
2012237260.tif 000008
【図７】
2012237260.tif 000009
【図８】
2012237260.tif 000010
【図９】
2012237260.tif 000011
【図１０】
2012237260.tif 000012